(57)【要約】      （修正有）【課題】位置ズレが防止されるとともに、使用者の鼠蹊部や腹部を圧迫せずに、穿き心地の良い下着を提供する。【解決手段】環状の腰締部２と、両端部３１が腰締部２に固定された帯状の本体部３とを有している。腰締部２は、伸縮性を有する２つの伸縮部と、伸縮性を有さない２つの非伸縮部２２Ａ、２２Ｂとで構成されており、本体部３の両端部３１は、腰締部２の各伸縮部を覆うように構成されている。腰締部２の非伸縮部２２Ａ、２２Ｂは、本体部３の各端部３１同士を連結しているのが好ましい。【選択図】図１
0003196944.tif 000002
【実用新案登録請求の範囲】
【請求項１】
環状の腰締部と、両端部が前記腰締部に固定された帯状の本体部とを有する下着であって、
前記腰締部は、伸縮性を有する伸縮部と、伸縮性を有さない非伸縮部とで構成され、
前記本体部の前記両端部は、前記伸縮部を覆うように構成されていることを特徴とする下着。
【請求項２】
前記非伸縮部は、前記本体部の前記両端部を連結する請求項１に記載の下着。
【請求項３】
前記伸縮部および前記非伸縮部は、いずれも、紐状をなしており、
前記伸縮部の幅は、前記非伸縮部の幅よりも小さい請求項１または２に記載の下着。
【請求項４】
前記本体部は、複数の生地を重ねて形成される請求項１ないし３のいずれかに記載の下着。
【請求項５】
前記本体部の両側端部は、前記複数の生地のそれぞれの両側端部を前記本体部の内側に折り込んで形成される請求項４に記載の下着。
【請求項６】
前記本体部は、前記複数の生地の前記両側端部のそれぞれが、ダブルステッチ縫いによって縫製されることにより、前記本体部の長手方向に沿った２列の縫い目を有している請求項５に記載の下着。
【考案の詳細な説明】
【技術分野】
【０００１】
本考案は、下着、特に、穿き心地の良いふんどしパンツに関する。
【背景技術】
【０００２】
現在、標準的な下着として用いられているパンツ、ショーツ、ガードル等の下着は、使用者が動いても、ズレ難いというメリットがあるが、使用者の体との密着性が高く、蒸れ易いというデメリットがある。近年、このようなデメリットを解消する下着として、従来から男性用下着として用いられてきたふんどし（褌）が、再評価されている。
【０００３】
ふんどしは、綿等の天然素材の生地で作られているため、通気性が高いという特徴を有する。また、ふんどしは、ショーツやガードルのように、使用者の股下部や腹部を締め付けることがない。そのため、使用者の股下部付近の湿度が高くなるのを抑制することができ、さらに、股下部や腹部の血行が良くなる。
【０００４】
このように、ふんどしは使用者の股下部付近の湿度が高くなるのを抑制することにより、雑菌の繁殖を防止する点で優れている。最近では、使用者のニーズに合わせて、ショーツやガードルのようにファッション性が高く、着用し易い形状のふんどしが提案されている（例えば、特許文献１）。
【０００５】
特許文献１のふんどしは、使用者の腰を締め付ける輪ゴムと、一方の端部が使用者の背中側で輪ゴムに取り付けられた帯状のふんどし本体とを有している。
【０００６】
しかしながら、このようなふんどしは、ふんどし本体が位置ズレを起こし易く、頻繁にふんどし本体の位置調整をする必要があった。その際に、ふんどし本体が使用者の鼠蹊部（太腿の腹部側の付け根付近）を圧迫することがあり、この場合には、圧迫される部位における血行が悪くなることがあった。
【先行技術文献】
【特許文献】
【０００７】
【特許文献１】特開平９−２２８１０２号公報
【考案の概要】
【考案が解決しようとする課題】
【０００８】
本考案は、上記従来の問題点を鑑みなされたものであり、その目的は、位置ズレが防止されるとともに、使用者の鼠蹊部や腹部を圧迫せずに、穿き心地の良い下着を提供することにある。
【課題を解決するための手段】
【０００９】
このような目的は以下の（１）〜（６）の本考案により達成される。
（１）  環状の腰締部と、両端部が前記腰締部に固定された帯状の本体部とを有する下着であって、
前記腰締部は、伸縮性を有する伸縮部と、伸縮性を有さない非伸縮部とで構成され、
前記本体部の前記両端部は、前記伸縮部を覆うように構成されていることを特徴とする下着。
（２）  前記非伸縮部は、前記本体部の前記両端部を連結する上記（１）に記載の下着。
【００１０】
（３）  前記伸縮部および前記非伸縮部は、いずれも、紐状をなしており、
前記伸縮部の幅は、前記非伸縮部の幅よりも小さい上記（１）または（２）に記載の下着。
【００１１】
（４）  前記本体部は、複数の生地を重ねて形成される上記（１）ないし（３）のいずれかに記載の下着。
【００１２】
（５）  前記本体部の両側端部は、前記複数の生地のそれぞれの両側端部を前記本体部の内側に折り込んで形成される上記（４）に記載の下着。
【００１３】
（６）  前記本体部は、前記複数の生地の前記両側端部のそれぞれが、ダブルステッチ縫いによって縫製されることにより、前記本体部の長手方向に沿った２列の縫い目を有している上記（５）に記載の下着。
【図面の簡単な説明】
【００１４】
【図１】本考案の好適な実施形態のふんどしパンツを示す斜視図である。
【図２】図１に示すふんどしパンツが備える腰締部を示す斜視図である。
【図３】図１に示すふんどしパンツが備える本体部を構成するダブルガーゼの正面図である。
【図４】図３中のＸ−Ｘ線断面図である。
【図５】ダブルガーゼの両端部を折返す方法を説明するための図である。
【図６】腰締部を形成するための腰締部形成用部材の正面図である。
【考案を実施するための形態】
【００１５】
以下、本考案の下着を添付図面に示す好適な実施形態に基づいて説明する。
図１は、本考案の好適な実施形態のふんどしパンツを示す斜視図である。図２は、図１に示すふんどしパンツが備える腰締部を示す斜視図である。図３は、図１に示すふんどしパンツが備える本体部を構成するダブルガーゼの正面図である。図４は、図３中のＸ−Ｘ線断面図である。
【００１６】
なお、以下の説明では、図１〜図３の上側および図４の紙面奥側を「上」または「上部」といい、図１〜図３の下側および図４の紙面手前側を「下」または「下部」という。また、図１および図２中の紙面奥側を「背中側」といい、図１および図２中の紙面手前側を「腹部側」という。
【００１７】
＜ふんどしパンツ＞
本実施形態のふんどしパンツ（下着）１は、図１に示すように、環状の腰締部２と、両端部３１が腰締部２に固定された帯状（長方形状）の本体部３とを有している。
【００１８】
（腰締部２）
腰締部２は、着用された（穿かれた）時に、使用者の腰骨の上部に位置し、使用者の腰部にフィットするように構成されている。
【００１９】
図２に示すように、腰締部２は、伸縮性を有する２つの紐状（帯状）の伸縮部２１Ａ、２１Ｂ（以下、まとめて「伸縮部２１」ともいう）と、伸縮性を有さない２つの紐状（帯状）の非伸縮部２２Ａ、２２Ｂ（以下、まとめて「非伸縮部２２」ともいう）とを有している。伸縮部２１Ａが腹部側、伸縮部２１Ｂが背中側に位置するように、各伸縮部２１Ａ、２１Ｂと各非伸縮部２２Ａ、２２Ｂとは交互に配置されている。各伸縮部２１Ａ、２１Ｂの両端部は、それぞれ、隣接する非伸縮部２２Ａ、２２Ｂの端部と重ね合わせて縫製される。これにより、腰締部２は環状に形成されている。
【００２０】
このような腰締部２は、使用者がふんどしパンツ１を穿いた状態において、伸縮部２１Ａが、使用者の腰部の腹部側に接触し、伸縮部２１Ｂが、使用者の腰部の背中側に接触する。また、この状態において、非伸縮部２２Ａ、２２Ｂが、使用者の左右の腰骨付近と接触する。そして、伸縮部２１の伸縮作用により、腰締部２が、使用者の腰部にフィットするように構成されている。
【００２１】
このような伸縮部２１としては、例えば、一般的な紐状のゴムを用いることができる。また、伸縮部２１として、伸縮性を備えた、パワーネット生地、サテンネット生地、ストレッチサテン生地、スパンデックス生地等を紐状に裁断して得られた布、これらの生地を複数枚重ねた布、または、これらの生地と紐状のゴムとを合わせ縫いした布を用いることもできる。
【００２２】
本実施形態では、伸縮部２１の幅は、非伸縮部２２の幅よりも小さくなるように構成されている。伸縮部２１の幅は、特に限定されないが、８〜２０ｍｍ程度であるのが好ましく、１０〜１５ｍｍ程度であるのがより好ましい。これにより、伸縮部２１の耐久性が十分に高くなるため、ふんどしパンツ１を繰り返し着用した際に、伸縮部２１の伸縮性が損なわれるのを抑制することができる。そのため、ふんどしパンツ１を長期間にわたって繰り返し使用することができる。
【００２３】
また、各伸縮部２１Ａ、２１Ｂの長さは、使用者の腰回りのサイズに合わせて適宜調整される。例えば、女性用のＭサイズであれば、伸縮部２１Ａ、２１Ｂのそれぞれの長さは、１８０〜２２０ｍｍ程度である。
【００２４】
また、伸縮部２１の長さは、非伸縮部２２の長さよりも大きく設計するのが好ましい。これにより、腰締部２全体としての伸縮性を大きくすることができ、腰締部２によって使用者の腰部が圧迫されるのをより確実に防止することができる。その結果、腰締部２によって、使用者の腰部付近の血行が悪くなるのをより確実に防止することができる。
【００２５】
各非伸縮部２２Ａ、２２Ｂは、使用者がふんどしパンツ１を着用した状態で、使用者の腰骨付近に接触するように構成されている。
【００２６】
非伸縮部２２は、伸縮性を有さないため、使用者の動きに合わせて伸縮することなく、使用者の腰骨付近に適度に密着した状態で保持される。非伸縮部２２は、使用者の腰骨付近を圧迫することがないため、使用者が動いた際にも、使用者の腰骨付近に軽く接触した状態で移動し、使用者への肌ストレスを抑えることができる。
【００２７】
非伸縮部２２の素材は、伸縮性を有さない素材であれば、特に限定されない。ただし、非伸縮部２２は、例えば、綿（木綿）、麻、絹等の天然素材で構成された生地で形成されているのが好ましい。このような素材は、通気性が高く、使用者の肌と接触した際に、肌に優しく、滑らかな触り心地を与える素材である。非伸縮部２２としてこのような素材を用いることにより、使用者の穿き心地がより優れたふんどしパンツ１を提供することができる。
【００２８】
前述したように、非伸縮部２２の幅は、伸縮部２１の幅よりも大きく構成されている。非伸縮部２２の幅は、特に限定されないが、２０〜４０ｍｍ程度であるのが好ましく、２５〜３５ｍｍ程度であるのがより好ましい。非伸縮部２２の幅が上記範囲内であれば、非伸縮部２２は、使用者の腰骨付近が圧迫されるのをより確実に防止することができ、使用者への肌ストレスをより軽減することができる。
【００２９】
また、各非伸縮部２２Ａ、２２Ｂの長さは、使用者の腰回りのサイズに合わせて適宜調整される。例えば、女性用のＭサイズであれば、非伸縮部２２Ａ、２２Ｂのそれぞれ長さは、１６０〜２００ｍｍ程度である。
【００３０】
なお、女性用のＭサイズのふんどしパンツ１では、腰締部２の円周長（腰締部２の一部を幅方向に切断した際の全長）が、７００〜７４０ｍｍ程度である。
【００３１】
また、このサイズのふんどしパンツ１では、自然状態（伸縮部２１が伸縮していない状態）の腰締部２の直径は、２３０〜２５０ｍｍ程度である。
【００３２】
（本体部３）
本体部３は、使用者がふんどしパンツ１を着用（穿いた）状態において、使用者の臀部、股下部および下腹部を覆うように構成されている。図１に示すように、本体部３は、正面視で略台形状をなしている。
【００３３】
本体部３は、使用者の臀部等を覆う覆い部と、覆い部の両端に設けられた筒状部（両端部）３１とを有する。両端部３１は、腰締部２の伸縮部２１Ａ、２１Ｂを覆うようにして構成されている。両端部３１の両側端部は、伸縮部２１および／または非伸縮部２２に縫製により固定されている。したがって、伸縮部２１が伸縮していない状態では、両端部３１の両側端部が、本体部３の幅方向の中心側に寄ることにより、両端部３１がひだ状（蛇腹状）に折り畳まれる。一方、使用者がふんどしパンツ１を穿く際には、伸縮部２１を伸長することにより、各端部３１は広がるように構成されている。
【００３４】
また、本体部３は、複数の生地を重ねて形成されている。本実施形態では、本体部３は、後述するように２枚の生地を重ねて形成されているが、３枚以上の生地を重ねて形成されていてもよい。本体部３は、複数の生地を重ねることにより、その耐久性が向上するとともに、使用者の肌が本体部３を通して視認されることを防止することができる。また、使用する生地の１枚当たりの厚さを薄くすることができる。１枚当たりの生地の厚さを薄くすることにより、本体部３の通気性をより高くすることができる。
【００３５】
本体部３を構成する各生地は、特に限定されないが、例えば、綿（木綿）、麻、絹等の天然素材で構成された生地を用いることができる。このような天然素材で構成された生地は、肌に優しく、滑らかな触り心地を使用者に与える。そのため、使用者への肌ストレスをより抑えることができる。また、このような生地は、ストレッチ素材のように使用者の肌を締め付けることがなく、高い通気性を有している。そのため、使用者の本体部３で覆われた部位（股下部付近）の湿度が高くなるのを防止することができ、雑菌が繁殖するのを確実に防止することができる。また、使用者の肌を締め付けないため、股下部（例えば、鼠蹊部等）の血行が妨げられない。
【００３６】
なお、このような生地は、特に、木綿で構成されたガーゼ生地が好ましい。ガーゼ生地は、通気性が高く、使用者の肌と接触した際に、肌ストレスが特に低い（肌触りが特に優れている）という特徴を有する。そのため、本体部３をこのようなガーゼ生地で形成することにより、上述したような効果を確実に発揮する。なお、本実施形態では、図４に示すように、本体部３が、ガーゼ生地３００を２枚重ねたダブルガーゼ３０で形成されている。
【００３７】
本体部３（覆い部）の幅は、使用者の臀部、股下部および腹部を覆うのに十分な幅を有するように適宜調整される。ただし、本体部３の幅は、腰締部２の伸縮部２１Ａ、２１Ｂの長さよりも大きくなるように構成されている。また、本実施形態のふんどしパンツ１では、本体部３の幅の長さが、腰締部２（自然状態の腰締部２）の直径よりも大きく設計されている。これにより、本体部３により使用者の臀部、股下部および腹部を十分に覆うことができる。なお、女性用のＭサイズのふんどしパンツ１では、本体部３の幅は、３２０〜３６０ｍｍ程度である。
【００３８】
また、本体部３（覆い部）の長さは、使用者の臀部、股下部および腹部を覆うのに十分な長さを有するように適宜調整される。なお、女性用のＭサイズのふんどしパンツ１では、本体部３の長さは、６００〜８００ｍｍ程度である。
【００３９】
女性用のＭサイズであれば、本体部３の幅および長さを上記範囲内とすることにより、本体部３で使用者の肌を締め付けることなく、使用者の臀部、股下部および腹部を十分に覆うことができる。そのため、使用者に心地良い穿き心地を与えることができる。
【００４０】
次に、このようなふんどしパンツ１の製造方法について説明する。
図５は、ダブルガーゼの両端部を折返す方法を説明するための図である。図６は、腰締部を形成するための腰締部形成用部材の正面図である。
【００４１】
＜ふんどしパンツの製造方法＞
１．準備工程
まず、本体部３を形成するための２枚の帯状のガーゼ生地３００が重なったダブルガーゼ３０を準備する（図４参照）。また、腰締部２の伸縮部２１Ａ、２１Ｂを形成するための２つの紐状のゴム（ゴム紐２１０）と非伸縮部２２Ａ、２２Ｂを形成するための２つの紐状の生地（紐２２０）とを準備する（図６参照）。ダブルガーゼ３０を構成する各ガーゼ生地３００、伸縮部２１を形成するためのゴム紐２１０、非伸縮部２２を形成するための紐２２０としては、前述したような素材を用いる。
【００４２】
２．本体部の両側端部の縫製工程
まず、ダブルガーゼ３０を構成する２枚のガーゼ生地３００の側端部を剥がし、ダブルガーゼ３０の内側に折り込む（図４参照）。より具体的には、剥がした各ガーゼ生地３００の側端部を２枚のガーゼ生地３００間に挟み込むように折り込む。そして、この状態で、各ガーゼ生地３００の側端部が折り込まれた部分にアイロンをかけることにより、折込部３２１を形成する。次に、折込部３２１を、ダブルステッチ縫いによりダブルガーゼ３０の長手方向に縫製する。これにより、図３に示すような、本体部３の両側端部３２が形成される。
【００４３】
なお、本体部３の両側端部３２は、使用者の鼠蹊部に接触する部分であり、使用者が動く際に、使用者の肌との擦れが特に多い部分である。本実施形態のふんどしパンツ１では、各ガーゼ生地３００の側端部をダブルガーゼ３０（本体部３）の内側に折り込むことによって、各ガーゼ生地３００の側端部が直接使用者の肌に接触しないようにしている。そのため、使用者の鼠蹊部への肌ストレスが軽減され、特に穿き心地の良いふんどしパンツ１とすることができる。また、このような折込部３２１を有することにより、使用者の鼠蹊部の締め付けをより確実に防止することができる。そのため、ふんどしパンツ１の着用により、使用者の鼠蹊部の血行が悪くなるのをより確実に防止することができる。特に、鼠蹊部付近にはリンパ管があるが、本実施形態のふんどしパンツ１では、このリンパ管を圧迫することがないため、新陳代謝が向上し、冷え症等を改善する効果を得られる。
【００４４】
折込部３２１の幅は、特に限定されないが、５〜２０ｍｍ程度であるのが好ましく、８〜１５ｍｍ程度であるのがより好ましい。これにより、形成された本体部３の各側端部３２の使用者への肌ストレスをより軽減することができ、特に穿き心地の良いふんどしパンツ１とすることができる。
【００４５】
また、図３に示すように、折込部３２１は、ダブルステッチ縫いにより、ダブルガーゼ３０の長手方向に沿った２列の縫い目３２２、３２３を有している。
【００４６】
この２列の縫い目３２２、３２３の幅は、折込部３２１の幅よりも小さければよいが、３〜１５ｍｍ程度であるのが好ましく、５〜１０ｍｍ程度であるのがより好ましい。これにより、縫製された２枚のガーゼ生地３００が解れるのを確実に防止することができる。また、使用者にとっては、縫い目３２２、３２３が肌に接触しても、これらの間隔が十分に離れているため気にならなくなり、使用者への肌ストレスをより軽減することができる。
【００４７】
なお、折込部３２１の幅をＡ（ｍｍ）とし、２列の縫い目３２２、３２３の幅をＢ（ｍｍ）としたとき、Ｂ／Ａの値が、０．６〜０．９であるのが好ましく、０．７〜０．８であるのがより好ましい。これにより、使用者の鼠蹊部への肌ストレスが軽減され、特に穿き心地の良いふんどしパンツ１とすることができる。
【００４８】
なお、本実施形態では、ダブルガーゼ３０の折込部３２１をダブルステッチ縫いにより縫製しているが、これに限定されない。ダブルガーゼ３０の折込部３２１の縫製方法としては、ダブルステッチ縫い以外のシングルステッチ縫い等の公知の縫製方法を用いることもできる。
【００４９】
３．本体部の両端部の縫製工程
上記のようにして縫製されたダブルガーゼ３０を、各端部付近の第１の折返部３１１で内側に折り返す（図３および図５参照）。そして、この状態で、ダブルガーゼ３０の折り返された部分にアイロンをかける。
【００５０】
第１の折返部３１１のダブルガーゼ３０の各末端からの長さ（第１の折返部３１１の長さ）は、特に限定されないが、２５〜４５ｍｍ程度であるのが好ましく、３０〜４０ｍｍ程度であるのがより好ましい。
【００５１】
次に、ダブルガーゼ３０を、さらに、第２の折返部３１２で内側に折り返す（図３および図５参照）。
【００５２】
第２の折返部３１２のダブルガーゼ３０の各末端からの長さ（第２の折返部３１２の長さ）は、特に限定されないが、５〜１５ｍｍ程度であるのが好ましく、８〜１２ｍｍ程度であるのがより好ましい。
【００５３】
次に、折り返されたダブルガーゼ３０を第２の折返部３１２よりも末端側で、ダブルガーゼ３０の短手方向（幅方向）に沿って縫製する。これにより、ダブルガーゼ３０の短手方向の全体にわたって中空筒状をなす両端部３１が形成される。
【００５４】
第１の折返部３１１および第２の折返部３１２の長さが、上述した範囲内であれば、後述する腰締部形成用部材２０を空間３１３内に簡単に挿入することができる。
【００５５】
なお、本実施形態では、両端部３１は、ダブルガーゼ３０の両端部がシングルステッチ縫いにより縫製されることにより形成されているが、これに限定されない。この縫製方法としては、シングルステッチ縫い以外のダブルステッチ縫い等の公知の縫製方法を用いることもできる。ただし、伸縮部２１の伸縮を阻害しないようにする観点からは、本実施形態のようにシングルステッチ縫いが好ましい。
以上のようにして、本体部３が形成される。
【００５６】
４．腰締部形成用部材の作成工程
次に、上記準備工程で準備した２つのゴム紐２１０と２つの紐２２０とを、直線状に交互に配置する。そして、図６に示すように、隣接するゴム紐２１０および紐２２０の端部同士を、それらが重ね合った状態で縫製する。これにより、２つのゴム紐２１０と２つの紐２２０とが直線状に連結した腰締部形成用部材２０を得ることができる。
【００５７】
ゴム紐２１０および紐２２０の端部同士を重ね合わせる長さは、特に限定されないが、８〜２０ｍｍ程度であるのが好ましく、１０〜１５ｍｍ程度であるのがより好ましい。
【００５８】
また、ゴム紐２１０および紐２２０の端部同士の縫製方法としては、シングルステッチ縫い、ダブルステッチ縫い等の公知の縫製方法を用いることができる。
【００５９】
５．腰締部の作成工程
次に、上記のようにして得られた腰締部形成用部材２０を、本体部３の各端部３１の空間３１３に挿通させる。その後、腰締部形成用部材２０の各端部同士を重ね合わせる。より具体的には、腰締部形成用部材２０を空間３１３に通した状態で、図６中左側の紐２２０の端部と、図６中右側のゴム紐２１０の端部とを重ね合わせて縫製する。
【００６０】
ゴム紐２１０の端部および紐２２０の端部同士を重ね合わせる長さは、特に限定されないが、前述した４．腰締部形成用部材の作成工程において、ゴム紐２１０の端部および紐２２０の端部同士を重ね合わせる長さと同様の長さとするのが好ましい。
【００６１】
また、ゴム紐２１０および紐２２０の端部同士の縫製方法としては、シングルステッチ縫い、ダブルステッチ縫い等の公知の縫製方法を用いることができる。
【００６２】
以上のようにして、各端部３１の空間３１３に挿通され、２つのゴム紐２１０で構成された伸縮部２１Ａ、２１Ｂと、２つの紐２２０で構成された非伸縮部２２Ａ、２２Ｂとを備えた腰締部２が形成される。
【００６３】
６．本体部と腰締部との縫製工程
次に、伸縮部２１Ａ、２１Ｂが、それぞれ空間３１３内に位置するように、腰締部２を本体部３に対して回転させて位置決めする。そして、伸縮部２１Ａと非伸縮部２２Ａ、２２Ｂとが重なった部分、および伸縮部２１Ｂと非伸縮部２２Ａ、２２Ｂとが重なった部分の計４箇所を、それぞれ本体部３の各端部３１（ダブルガーゼ３０の各端部）の両側端部に縫製する。
【００６４】
なお、腰締部２と本体部３との縫製方法としては、シングルステッチ縫い、ダブルステッチ縫い等の公知の縫製方法を用いることができる。
【００６５】
以上の工程を経て、本体部３と腰締部２とが縫製されたふんどしパンツ１を得ることができる。
【００６６】
このように、ふんどしパンツ１では、腰締部２の伸縮部２１が、それぞれ、両端部３１の空間３１３に挿入されており、直接使用者の肌に接触しないように構成されている。すなわち、腰締部２の伸縮部２１は、肌触りが優れているガーゼ生地３００を介して使用者の腰部に接触している。伸縮部２１のようなストレッチ素材は、肌ストレスが高い素材であるので、伸縮部２１が直接肌に接触しないようにすることにより、使用者への肌ストレスを軽減することができる。
【００６７】
なお、本実施形態では、腰締部２を形成（上述した５．腰締部の作成工程）した後に、本体部３と腰締部２との縫製（上述した６．本体部と腰締部との縫製工程）を行っているが、これに限定されない。例えば、腰締部形成用部材２０を、本体部３の各端部３１の空間３１３に挿通させた後、本体部３（両端部３１）と、腰締部形成用部材２０（ゴム紐２１０と紐２２０とが重なった部分）とを縫製する。その後、腰締部形成用部材２０の各端部同士を重ね合わせて縫製し、腰締部２を形成するようにしてもよい。すなわち、上述した５．腰締部の作成工程と６．本体部と腰締部との縫製工程とを同時に行ってもよい。
【００６８】
次に、このようなふんどしパンツ１の使用方法について説明する。
＜ふんどしパンツの使用方法＞
まず、腰締部２を拡げて（伸縮部２１Ａ、２１Ｂを伸長させて）、使用者の左足を、腰締部２の図１中上側から挿入する。そして、使用者の左足が、開口４Ａからふんどしパンツ１の外側に出るようにする。また、使用者の右足を、腰締部２の図１中上側から挿入する。そして、使用者の右足が、開口４Ｂからふんどしパンツ１の外側に出るようにする。
【００６９】
次に、腰締部２の伸縮部２１Ａが使用者の腰部の腹部側、伸縮部２１Ｂが使用者の腰部の背中側に位置するように、腰締部２を使用者の腰骨付近まで上げる。
以上により、使用者がふんどしパンツ１を着用する（穿く）ことができる。
【００７０】
前述したように、ふんどしパンツ１は、使用者の腰部を締め付ける腰締部２が、伸縮部２１と非伸縮部２２とで構成されており、使用者への肌ストレスが小さい非伸縮部２２のみが、直接使用者の肌に接触する。また、かかる構成の腰締部２は、単に１本のゴム紐で腰部を締め付ける場合と異なり、使用者の腹部を圧迫することがない。したがって、腰締部２は、使用者への肌ストレスを低減させることができるとともに、使用者の腹部等の圧迫により腰部付近の血行が悪くなるのを防止することができる。
【００７１】
また、本体部３は、通気性の高い２枚のガーゼ生地３００（ダブルガーゼ３０）で形成されているため、通気性が非常に優れている。さらに、本体部３の両側端部３２は、ダブルガーゼ３０の折込部３２１で形成されるため、肌触りが良く、使用者の鼠蹊部の締め付け（圧迫）をより確実に防止することができる。そのため、ふんどしパンツ１の着用により、使用者の鼠蹊部の血行が悪くなるのを確実に防止することができる。
【００７２】
また、ふんどしパンツ１では、本体部３の両端部３１が、腰締部２に縫製により固定された構成であるため、使用者が体を動かした際にも、本体部３が位置ズレを起こすのを防止することができる。
【００７３】
以上のような作用・効果により、ふんどしパンツ１は、位置ズレが防止されるとともに、使用者の鼠蹊部や腹部を圧迫せずに、穿き心地の良い下着となる。
【００７４】
以上、本考案の下着を図示の実施形態に基づいて説明したが、本考案は、これに限定されるものではなく、各構成は、同様の機能を発揮し得る任意のものと置換することができ、あるいは、任意の構成のものを付加することができる。
【符号の説明】
【００７５】
１…ふんどしパンツ（下着）  ２…腰締部  ２１、２１Ａ、２１Ｂ…伸縮部  ２２、２２Ａ、２２Ｂ…非伸縮部  ３…本体部  ３１…端部（筒状部）  ３１１…第１の折返部  ３１２…第２の折返部  ３１３…空間  ３２…側端部  ３２１…折込部  ３２２、３２３…縫い目  ２０…腰締部形成用部材  ３０…ダブルガーゼ  ３００…ガーゼ生地  ４Ａ、４Ｂ…開口  ２１０…ゴム紐  ２２０…紐
【図１】
0003196944.tif 000003
【図２】
0003196944.tif 000004
【図３】
0003196944.tif 000005
【図４】
0003196944.tif 000006
【図５】
0003196944.tif 000007
【図６】
0003196944.tif 000008